【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
ドリフト無線ネットワーク制御装置が、関連セルがアップリンク高次変調をサポートするか否かを報告する方法であって、
前記ドリフト無線ネットワーク制御装置が、サービス無線ネットワーク制御装置からの請求メッセージを受信した後、シグナリングにより前記サービス無線ネットワーク制御装置に、前記アップリンク高次変調に対する前記関連セルのサポート能力の情報を報告するステップを含むことを特徴とするアップリンク高次変調に対するセルのサポート能力の報告方法。
【請求項２】
請求項１において、
前記請求メッセージは、無線リンク確立請求メッセージと無線リンク追加請求メッセージの何れか一つを含むことを特徴とする方法。
【請求項３】
請求項２において、
前記シグナリングは、無線リンク確立応答メッセージ、無線リンク確立失敗メッセージ、無線リンク追加応答メッセージ、無線リンク追加失敗メッセージの何れか一つ又はその組合せを含むことを特徴とする方法。
【請求項４】
請求項３において、
前記ドリフト無線ネットワーク制御装置が前記無線リンク確立請求メッセージ又は前記無線リンク追加請求メッセージを受信し、一つ又は複数の必要なリンクを成功に確立又は追加した場合、前記サービス無線ネットワーク制御装置に送信する前記無線リンク確立応答メッセージ又は前記無線リンク追加応答メッセージに前記アップリンク高次変調に対する前記関連セルのサポート能力の情報を重ねることを特徴とする方法。
【請求項５】
請求項３において、
前記ドリフト無線ネットワーク制御装置が前記無線リンク確立請求メッセージ又は前記無線リンク追加請求メッセージを受信して、複数のリンクの中の一部は成功に確立又は追加され、他の一部の確立又は追加が失敗した場合、前記サービス無線ネットワーク制御装置に送信する前記無線リンク確立失敗メッセージ又は前記無線リンク追加失敗メッセージに前記アップリンク高次変調に対する前記関連セルのサポート能力の情報を重ねることを特徴とする方法。
【請求項６】
請求項１乃至５の何れか一項において、
前記関連セルは、前記ドリフト無線ネットワーク制御装置が前記請求メッセージの後にリンクを成功に確立又は追加した隣接するセルであり、前記関連セルは一つ又は複数のセルを含むことを特徴とする方法。
【請求項７】
請求項１乃至６の何れか一項において、
前記シグナリングによる報告は、既存信号（Ｃｅｌｌ）のセル能力収容器の値にアップリンク高次変調に対するサポート能力を示す情報を追加することによって実現されることを特徴とする方法。
【請求項８】
請求項７において、
前記アップリンク高次変調のサポート能力は、ビット位で示しており、「０」はアップリンク高次変調をサポートしないことを示し、「１」はアップリンク高次変調をサポートすることを示すことを特徴とする方法。
【請求項９】
請求項１乃至８の何れか一項において、
前記アップリンク高次変調のサポート能力の情報は、拡張されたセル能力情報を追加することによって前記アップリンク高次変調のサポート能力を示すことを特徴とする方法。
【請求項１０】
請求項９において、
前記アップリンク高次変調のサポート能力情報の表示方法はサポート指示又は非サポート指示によって実現することを特徴とする方法。
【請求項１１】
請求項１乃至１０の何れか一項において、
前記アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力の何れか一つ又はその組合せを含むことを特徴とする方法。
【請求項１２】
ドリフト無線ネットワーク制御装置が、関連セルがアップリンク高次変調をサポートするか否かを報告する装置であって、
サービス無線ネットワーク制御装置からの請求メッセージを受信した後、シグナリングにより前記サービス無線ネットワーク制御装置に、前記アップリンク高次変調に対する前記関連セルのサポート能力の情報を報告する報告ユニットを含むことを特徴とするアップリンク高次変調に対するセルのサポート能力を報告する装置。
【請求項１３】
請求項１２において、
前記請求メッセージは、無線リンク確立請求メッセージと無線リンク追加請求メッセージの何れか一つを含み、
前記シグナリングは、無線リンク確立応答メッセージ、無線リンク確立失敗メッセージ、無線リンク追加応答メッセージ、無線リンク追加失敗メッセージの何れか一つ又はその組合せを含むことを特徴とする装置。
【請求項１４】
請求項１３において、
前記ドリフト無線ネットワーク制御装置が前記無線リンク確立請求メッセージ又は前記無線リンク追加請求メッセージを受信し、一つ又は複数の必要なリンクを成功に確立又は追加した場合、前記報告ユニットは、前記サービス無線ネットワーク制御装置に送信する前記無線リンク確立応答メッセージ又は前記無線リンク追加応答メッセージに前記アップリンク高次変調に対する前記関連セルのサポート能力の情報を重ねることを特徴とする装置。
【請求項１５】
請求項１３において、
前記ドリフト無線ネットワーク制御装置が前記無線リンク確立請求メッセージ又は前記無線リンク追加請求メッセージを受信して、複数のリンクの中の一部は成功に確立又は追加され、他の一部の確立又は追加が失敗した場合、前記報告ユニットは、前記サービス無線ネットワーク制御装置に送信する前記無線リンク確立失敗メッセージ又は前記無線リンク追加失敗メッセージに前記アップリンク高次変調に対する前記関連セルのサポート能力の情報を重ねることを特徴とする装置。
【請求項１６】
請求項１２乃至１５の何れか一項において、
前記関連セルは、前記ドリフト無線ネットワーク制御装置が前記請求メッセージの後にリンクを成功に確立又は追加した隣接するセルであり、前記関連セルは一つ又は複数のセルを含むことを特徴とする装置。
【請求項１７】
請求項１２乃至１６の何れか一項において、
前記シグナリングによる報告は、既存信号（Ｃｅｌｌ）のセル能力収容器の値にアップリンク高次変調に対するサポート能力を示す情報を追加することによって実現され、
前記アップリンク高次変調のサポート能力は、ビット位で示しており、「０」はアップリンク高次変調をサポートしないことを示し、「１」はアップリンク高次変調をサポートすることを示すことを特徴とする装置。
【請求項１８】
請求項１２乃至１７の何れか一項において、
前記アップリンク高次変調のサポート能力の情報は、拡張されたセル能力情報を追加することによって前記アップリンク高次変調のサポート能力を示し、
前記アップリンク高次変調のサポート能力情報の表示方法はサポート指示又は非サポート指示によって実現することを特徴とする装置。
【請求項１９】
請求項１２乃至１８の何れか一項において、
前記アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力の何れか一つ又はその組合せを含むことを特徴とする装置。